(57)【要約】【課題】ネットワーク情報を短時間で取得することができるデジタル放送受信装置、ネットワーク情報取得方法、ネットワーク情報取得プログラムおよび記録媒体を提供する。【解決手段】選局復調部２は、信号入力部１により受信された放送信号の周波数を選択することにより複数の物理チャンネルを順次選局し、物理チャンネルの放送信号を復調する。ＴＳＭＦ解析部５は、ＴＳＭＦ情報を取得および解析し、ネットワーク情報を含むＴＳパケットの相対ＴＳ番号を識別する。ネットワーク情報制御部６は、選局復調部２により復調された放送信号からＴＳＭＦ解析部５により識別された相対ＴＳ番号を有するＴＳパケットを抽出し、抽出されたＴＳパケットからネットワーク情報を取得し、そのネットワーク情報をネットワーク情報保存部７に保存する。【選択図】図１
2007329543.tif 000002
【特許請求の範囲】
【請求項１】
複数の周波数帯域の放送信号を順次選択するとともに、選択した放送信号を復調する選局復調手段と、
前記選局復調手段により復調された放送信号からネットワーク情報の有無を示す伝送フレームを取得する取得手段と、
前記取得手段により取得された伝送フレームに基づいて前記選局復調手段により復調された放送信号がネットワーク情報を有するか否かを判別する判別手段と、
前記判別手段によりネットワーク情報を有することが判別された場合に、前記選局復調手段により復調された放送信号からネットワーク情報を抽出する抽出手段とを備えたことを特徴とするデジタル放送受信装置。
【請求項２】
前記選局復調手段により復調された放送信号はトランスポートストリームパケットを含み、
前記伝送フレームはネットワーク情報を有するトランスポートストリームパケットを識別する識別子を含み、
前記判別手段は、前記伝送フレームの識別子に基づいてネットワーク情報を有するトランスポートストリームパケットを識別し、
前記抽出手段は、前記判別手段により識別されたトランスポートストリームパケットからネットワーク情報を抽出することを特徴とする請求項１記載のデジタル放送受信装置。
【請求項３】
前記伝送フレームは、トランスポートストリーム多重フレームであることを特徴とする請求項２記載のデジタル放送受信装置。
【請求項４】
前記トランスポートストリーム多重フレームは、ヘッダおよび１または複数のトランスポートストリームパケットを含み、前記ヘッダは前記
識別子を含むことを特徴とする請求項３記載のデジタル放送受信装置。
【請求項５】
前記ネットワーク情報は、ネットワーク情報管理テーブルを含むことを特徴とする請求項１〜４のいずれかに記載のデジタル放送受信装置。
【請求項６】
デジタル放送受信装置においてネットワーク情報を取得するネットワーク情報取得方法であって、
複数の周波数帯域の放送信号を順次選択するとともに、選択した放送信号を復調するステップと、
復調された放送信号からネットワーク情報の有無を示す伝送フレームを取得するステップと、
取得された伝送フレームに基づいて復調された放送信号がネットワーク情報を有するか否かを判別するステップと、
ネットワーク情報を有することが判別された場合に、復調された放送信号からネットワーク情報を抽出するステップとを備えたことを特徴とするネットワーク情報取得方法。
【請求項７】
デジタル放送受信装置においてネットワーク情報を取得するために処理装置により実行可能なネットワーク情報取得プログラムであって、
複数の周波数帯域の放送信号を順次選択するとともに、選択した放送信号を復調する処理と、
復調された放送信号からネットワーク情報の有無を示す伝送フレームを取得する処理と、
取得された伝送フレームに基づいて復調された放送信号がネットワーク情報を有するか否かを判別する処理と、
ネットワーク情報を有することが判別された場合に、復調された放送信号からネットワーク情報を抽出する処理とを、
前記処理装置に実行させることを特徴とするネットワーク情報取得プログラム。
【請求項８】
デジタル放送受信装置においてネットワーク情報を取得するためのネットワーク情報取得プログラムを記録したコンピュータ読み取り可能な記録媒体であって、
前記ネットワーク情報取得プログラムは、
複数の周波数帯域の放送信号を順次選択するとともに、選択した放送信号を復調する処理と、
復調された放送信号からネットワーク情報の有無を示す伝送フレームを取得する処理と、
取得された伝送フレームに基づいて復調された放送信号がネットワーク情報を有するか否かを判別する処理と、
ネットワーク情報を有することが判別された場合に、復調された放送信号からネットワーク情報を抽出する処理とを、
前記コンピュータに実行させることを特徴とする記録媒体。
【発明の詳細な説明】
【技術分野】
【０００１】
本発明は、ネットワーク情報を取得する機能を有するデジタル放送受信装置、ネットワーク情報取得方法、ネットワーク情報取得プログラムおよび記録媒体に関する。
【背景技術】
【０００２】
デジタルケーブルテレビジョン（以下、デジタルＣＡＴＶと呼ぶ）システムでは、ＣＳ（通信衛星）デジタル放送、ＢＳ（放送衛星）デジタル放送、地上波デジタル放送等の種々のネットワークのデジタル放送がケーブルを通してデジタルＣＡＴＶ受信装置に再送信される。
【０００３】
通常、複数のネットワーク情報がケーブルテレビ局からデジタルＣＡＴＶ受信装置に伝送される。ここで、ネットワーク情報とは、物理チャンネルの周波数、物理チャンネルに多重される論理チャンネル番号、番組の放送および非放送の有無等の伝送路に関する情報をいう。デジタルＣＡＴＶ受信装置では、ネットワーク情報を取得することにより各物理チャンネルにおける番組を選局することが可能になる。
【０００４】
ＭＰＥＧ（Moving Picture Experts Group）２システムでは、ネットワーク情報は、ＰＳＩ（番組特定情報；Program Specific Information)の１つであるＮＩＴ（ネットワーク情報管理テーブル；Network Information Table）を用いて提供される。
【０００５】
このようなネットワーク情報は、ネットワークごとに任意の周波数帯域のＴＳ（トランスポートストリーム）パケットに含まれる。したがって、従来のデジタルＣＡＴＶ受信装置の設置時には、複数の周波数帯域の物理チャンネルを順次選局するとともに、各周波数帯域の複数のＴＳパケットをサーチすることにより、複数のネットワーク情報を取得する（特許文献１参照）。それにより、複数の物理チャンネルにおける番組を選局することが可能になる。
【特許文献１】特開平１０−１４５７６８号公報
【非特許文献１】ＪＣＴＥＡ  ＳＴＤ−００２−２．０「デジタル有線テレビジョン放送多重装置」第６章  ＴＳ信号の複数ＴＳ多重化
【発明の開示】
【発明が解決しようとする課題】
【０００６】
しかしながら、従来のデジタルＣＡＴＶ受信装置では、ネットワーク情報を取得するために、上記のように、複数の周波数帯域の物理チャンネルを順次選局するとともに、各周波数帯域の複数のＴＳパケットをサーチする必要がある。
【０００７】
例えば、９０〜７７０ＭＨｚの全周波数帯域における周波数帯域の数は約１００個である。また、複数ＴＳ多重化方式では、各周波数帯域において最大１５個のＴＳパケットが多重フレームに多重されて再送信される（非特許文献１参照）。したがって、デジタルＣＡＴＶ受信装置では、約１００個の物理チャンネルを順次選局し、各物理チャンネルで１５個のＴＳパケットを順にサーチすることになる。すなわち、ネットワーク情報を取得するために約１５００個のＴＳパケットをサーチすることになる。
【０００８】
このように、従来のデジタルＣＡＴＶ受信装置では、ネットワーク情報を含まないＴＳパケットを含めて多数のＴＳパケットをサーチするため、ネットワーク情報の取得を完了するまでに時間を要する。
【０００９】
本発明の目的は、ネットワーク情報を短時間で取得することができるデジタル放送受信装置、ネットワーク情報取得方法、ネットワーク情報取得プログラムおよび記録媒体を提供することである。
【課題を解決するための手段】
【００１０】
（１）第１の発明に係るデジタル放送受信装置は、複数の周波数帯域の放送信号を順次選択するとともに、選択した放送信号を復調する選局復調手段と、選局復調手段により復調された放送信号からネットワーク情報の有無を示す伝送フレームを取得する取得手段と、取得手段により取得された伝送フレームに基づいて選局復調手段により復調された放送信号がネットワーク情報を有するか否かを判別する判別手段と、判別手段によりネットワーク情報を有することが判別された場合に、選局復調手段により復調された放送信号からネットワーク情報を抽出する抽出手段とを備えたものである。
【００１１】
そのデジタル放送受信装置においては、選局復調手段により複数の周波数帯域の放送信号が順次選択されるとともに、選択された放送信号が復調される。そして、復調された放送信号から取得手段によりネットワーク情報の有無を示す伝送フレームが取得される。さらに、取得された伝送フレームに基づいて復調された放送信号がネットワーク情報を有するか否かが判別手段により判別される。ネットワーク情報を有することが判別された場合に、復調された放送信号からネットワーク情報が抽出手段により抽出される。
【００１２】
このように、選択された周波数帯域の放送信号がネットワーク情報を含むと判別された場合にネットワーク情報の抽出が行われるので、ネットワーク情報を含まない放送信号においてネットワーク情報のサーチを行う時間が削減される。それにより、ネットワーク情報を短時間で取得することができる。
【００１３】
（２）選局復調手段により復調された放送信号はトランスポートストリームパケットを含み、伝送フレームはネットワーク情報を有するトランスポートストリームパケットを識別する識別子を含み、判別手段は、伝送フレームの識別子に基づいてネットワーク情報を有するトランスポートストリームパケットを識別し、抽出手段は、判別手段により識別されたトランスポートストリームパケットからネットワーク情報を抽出してもよい。
【００１４】
この場合、伝送フレームの識別子に基づいてネットワーク情報を有するトランスポートストリームパケットが識別され、識別されたトランスポートストリームパケットからネットワーク情報が抽出される。それにより、ネットワーク情報を含む周波数帯域の放送信号においてネットワーク情報を含むトランスポートストリームからネットワーク情報が抽出されるので、ネットワーク情報を含まないトランスポートストリームのサーチを行う時間が削減される。したがって、ネットワーク情報をより短時間で取得することができる。
【００１５】
（３）伝送フレームは、トランスポートストリーム多重フレームであってもよい。
【００１６】
この場合、トランスポートストリーム多重フレームの識別子に基づいてネットワーク情報を有するトランスポートストリームパケットが識別され、識別されたトランスポートストリームパケットからネットワーク情報が抽出される。
【００１７】
（４）トランスポートストリーム多重フレームは、ヘッダおよび１または複数のトランスポートストリームパケットを含み、ヘッダは識別子を含んでもよい。
【００１８】
この場合、トランスポートストリーム多重フレームのヘッダに含まれる識別子に基づいてトランスポートストリーム多重フレームに含まれるネットワーク情報を有するトランスポートストリームパケットが識別され、識別されたトランスポートストリームパケットからネットワーク情報が抽出される。
【００１９】
（５）ネットワーク情報は、ネットワーク情報管理テーブルを含んでもよい。この場合、ネットワーク情報管理テーブルによりネットワーク情報が提供される。
【００２０】
（６）第２の発明に係るネットワーク情報取得方法は、デジタル放送受信装置においてネットワーク情報を取得するネットワーク情報取得方法であって、複数の周波数帯域の放送信号を順次選択するとともに、選択した放送信号を復調するステップと、復調された放送信号からネットワーク情報の有無を示す伝送フレームを取得するステップと、取得された伝送フレームに基づいて復調された放送信号がネットワーク情報を有するか否かを判別するステップと、ネットワーク情報を有することが判別された場合に、復調された放送信号からネットワーク情報を抽出するステップとを備えたものである。
【００２１】
そのネットワーク情報取得方法においては、複数の周波数帯域の放送信号が順次選択されるとともに、選択された放送信号が復調される。そして、復調された放送信号からネットワーク情報の有無を示す伝送フレームが取得される。さらに、取得された伝送フレームに基づいて復調された放送信号がネットワーク情報を有するか否かが判別される。ネットワーク情報を有することが判別された場合に、復調された放送信号からネットワーク情報が抽出される。
【００２２】
このように、選択された周波数帯域の放送信号がネットワーク情報を含むと判別された場合にネットワーク情報の抽出が行われるので、ネットワーク情報を含まない放送信号においてネットワーク情報のサーチを行う時間が削減される。それにより、ネットワーク情報を短時間で取得することができる。
【００２３】
（７）第３の発明に係るネットワーク情報取得プログラムは、デジタル放送受信装置においてネットワーク情報を取得するために処理装置により実行可能なネットワーク情報取得プログラムであって、複数の周波数帯域の放送信号を順次選択するとともに、選択した放送信号を復調する処理と、復調された放送信号からネットワーク情報の有無を示す伝送フレームを取得する処理と、取得された伝送フレームに基づいて復調された放送信号がネットワーク情報を有するか否かを判別する処理と、ネットワーク情報を有することが判別された場合に、復調された放送信号からネットワーク情報を抽出する処理とを、処理装置に実行させるものである。
【００２４】
そのネットワーク情報取得プログラムにおいては、複数の周波数帯域の放送信号が順次選択されるとともに、選択された放送信号が復調される。そして、復調された放送信号からネットワーク情報の有無を示す伝送フレームが取得される。さらに、取得された伝送フレームに基づいて復調された放送信号がネットワーク情報を有するか否かが判別される。ネットワーク情報を有することが判別された場合に、復調された放送信号からネットワーク情報が抽出される。
【００２５】
このように、選択された周波数帯域の放送信号がネットワーク情報を含むと判別された場合にネットワーク情報の抽出が行われるので、ネットワーク情報を含まない放送信号においてネットワーク情報のサーチを行う時間が削減される。それにより、ネットワーク情報を短時間で取得することができる。
【００２６】
（８）第４の発明に係る記録媒体は、デジタル放送受信装置においてネットワーク情報を取得するためのネットワーク情報取得プログラムを記録したコンピュータ読み取り可能な記録媒体であって、ネットワーク情報取得プログラムは、複数の周波数帯域の放送信号を順次選択するとともに、選択した放送信号を復調する処理と、復調された放送信号からネットワーク情報の有無を示す伝送フレームを取得する処理と、取得された伝送フレームに基づいて復調された放送信号がネットワーク情報を有するか否かを判別する処理と、ネットワーク情報を有することが判別された場合に、復調された放送信号からネットワーク情報を抽出する処理とを、コンピュータに実行させるものである。
【００２７】
その記録媒体に記録したネットワーク情報取得プログラムにおいては、複数の周波数帯域の放送信号が順次選択されるとともに、選択された放送信号が復調される。そして、復調された放送信号からネットワーク情報の有無を示す伝送フレームが取得される。さらに、取得された伝送フレームに基づいて復調された放送信号がネットワーク情報を有するか否かが判別される。ネットワーク情報を有することが判別された場合に、復調された放送信号からネットワーク情報が抽出される。
【００２８】
このように、選択された周波数帯域の放送信号がネットワーク情報を含むと判別された場合にネットワーク情報の抽出が行われるので、ネットワーク情報を含まない放送信号においてネットワーク情報のサーチを行う時間が削減される。それにより、ネットワーク情報を短時間で取得することができる。
【発明の効果】
【００２９】
本発明によれば、選択された周波数帯域の放送信号がネットワーク情報を含むと判別された場合にネットワーク情報の抽出が行われるので、ネットワーク情報を含まない放送信号においてネットワーク情報のサーチを行う時間が削減される。それにより、ネットワーク情報を短時間で取得することができる。
【発明を実施するための最良の形態】
【００３０】
以下、本発明に係るデジタル放送受信装置の一実施の形態として、ケーブルテレビジョン受信装置（以下、デジタルＣＡＴＶ受信装置と称する）について図面を用いて詳細に説明する。
【００３１】
（１）デジタルＣＡＴＶ受信装置の構成
図１は本発明の一実施の形態に係るデジタルＣＡＴＶ受信装置の構成を示すブロック図である。
【００３２】
図１に示すように、デジタルＣＡＴＶ受信装置１０は、信号入力部１、選局復調部２、復号部３、信号制御部４、ＴＳＭＦ解析部５、ネットワーク情報制御部６およびネットワーク情報保存部７を備える。復号部３には、モニタ８およびスピーカ９が接続される。
【００３３】
信号制御部４、ＴＳＭＦ解析部５およびネットワーク情報制御部６の機能は、ＣＰＵ（中央演算処理装置）およびプログラムにより実現される。また、ネットワーク情報保存部７は、例えば半導体メモリ等の記憶装置により構成される。
【００３４】
以下に説明するネットワーク情報の取得動作は、例えばデジタルＣＡＴＶ受信装置１０の設置時に行われる。
【００３５】
上述のように、ネットワーク情報とは、物理チャンネル（伝送路）の周波数、物理チャンネルに多重される論理チャンネルの番号、番組の放送および非放送の有無等の伝送路に関する情報をいう。ＭＰＥＧ（Moving Picture Experts Group）２システムでは、ネットワーク情報は、ＰＳＩ（番組特定情報；Program Specific Information)の１つであるＮＩＴ（ネットワーク情報管理テーブル；Network Information Table）を用いて提供される。
【００３６】
信号入力部１は、ケーブルテレビ局からケーブルを通して再送信される放送信号を受信する。選局復調部２は、信号入力部１により受信された放送信号の周波数を選択することにより所望の物理チャンネルを選局し、選局された物理チャンネルの放送信号を復調する。それにより、ＴＳ（トランスポートストリーム）が得られる。
【００３７】
後述するように、ネットワーク情報の取得動作時には、選局復調部２は、複数の物理チャンネルを順次選局する。また、デジタル放送の視聴時には、選局復調部２は、ユーザにより指示された物理チャンネルを選局するとともに、その物理チャンネルにおけるＴＳから所望の番組のＴＳパケットを抽出する。
【００３８】
復号部３は、デジタル放送の視聴時に、選局復調部２により抽出されたＴＳパケットから映像信号および音声信号を復号する。映像信号はモニタ８に出力され、音声信号はスピーカ９に出力される。それにより、モニタ８により映像が表示され、スピーカ９により音声が出力される。
【００３９】
信号制御部４は、ネットワーク情報の取得動作時に、信号入力部１、選局復調部２およびＴＳＭＦ解析部５を制御する。
【００４０】
ＴＳＭＦ解析部５は、選局復調部２により復調された放送信号からＴＳＭＦ（複数ＴＳ伝送フレーム；Transport Stream Multiplex Frame（トランスポートストリーム多重フレーム））情報を取得し、そのＴＳＭＦ情報を解析することによりネットワーク情報を含むＴＳパケットの後述する相対ＴＳ番号を識別する。ＴＳＭＦ情報の詳細については後述する。
【００４１】
ネットワーク情報制御部６は、ネットワーク情報の取得動作時に、ＴＳＭＦ解析部５により識別された相対ＴＳ番号に基づいて選局復調部２により復調されたＴＳパケットからネットワーク情報を取得し、そのネットワーク情報をネットワーク情報保存部７に保存する。また、ネットワーク情報制御部６は、デジタル放送の視聴時に、ネットワーク情報保存部７に保存されたネットワーク情報を選局復調部２に与える。それにより、選局復調部２は、複数の物理チャンネルにおける番組を選局することが可能となる。
【００４２】
（２）ＴＳＭＦ情報
上記のＴＳＭＦ情報は、例えば複数ＴＳ多重化方式における多重フレームの多重フレームヘッダにより提供される。
【００４３】
図２は多重フレームの構造を示す図である。多重フレームは、５３個のスロットにより構成される。多重フレームの１スロットは１８８バイトで構成され、ＴＳパケットと同じ信号形式を有する。多重フレームヘッダは、５３個のスロットのうち先頭のスロットに配置される。残りのスロットには、ＴＳパケットが配置される。なお、多重フレームに多重されるＴＳパケットの最大個数は１５である。
【００４４】
図３は多重フレームヘッダのシンタックス（構文）の概要を示す図である。
【００４５】
図３に示すように、多重フレームヘッダは、パケットヘッダ、多重フレーム同期ビット列、バージョン番号、相対ＴＳ番号表のモード、多重フレーム形式、ＴＳの状態表、およびｔｓ＿ｉｄ／ｏｒｉｇｉｎａｌ＿ｎｅｔｗｏｒｋ＿ｉｄ表（ＴＳ識別子／オリジナルネットワーク識別子の表）を含む。さらに、多重フレームヘッダは、受信状態表、緊急信号、相対ＴＳ番号表、拡張情報およびＣＲＣ（巡回冗長検査）を含む。
【００４６】
相対ＴＳ番号表は、絶対ＴＳ番号と相対ＴＳ番号との対応関係を示す。本実施の形態では、１５個のＴＳパケットに相対ＴＳ番号“１”〜“１５”が付される。また、ｔｓ＿ｉｄ／ｏｒｉｇｉｎａｌ＿ｎｅｔｗｏｒｋ＿ｉｄ表は、相対ＴＳ番号とＴＳ識別子／オリジナルネットワーク識別子との対応を示す。ｔｓ＿ｉｄ／ｏｒｉｇｉｎａｌ＿ｎｅｔｗｏｒｋ＿ｉｄ表によりネットワーク情報が存在するＴＳパケットの相対ＴＳ番号を識別することができる。
【００４７】
（３）デジタルＣＡＴＶ受信装置のネットワーク情報の取得動作
図４は本実施の形態のデジタルＣＡＴＶ受信装置１０におけるネットワーク情報の取得動作を示すフローチャートである。また、図５は本実施の形態および従来のデジタルＣＡＴＶ受信装置おけるネットワーク情報の取得動作の例を示す図である。なお、図４のネットワーク情報の取得動作はプログラムにより実現される。
【００４８】
ネットワーク情報の取得動作時には、信号制御部４が最初の周波数帯域を設定する（ステップＳ１）。それにより、選局復調部２は、信号入力部１により受信された放送信号のうち最初の周波数帯域の放送信号を選択することにより最初の物理チャンネルを選局し、その物理チャンネルの放送信号を復調する。全周波数帯域を例えば９０〜７７０ＭＨｚとした場合、周波数帯域の数は約１００個である。この場合、最初の周波数帯域は９３ＭＨｚである。
【００４９】
次に、ＴＳＭＦ解析部５は、選局復調部２により復調された放送信号にＴＳＭＦ情報が存在するか否かを判別する（ステップＳ２）。
【００５０】
ＴＳＭＦ情報が存在する場合には、ＴＳＭＦ解析部５は、ＴＳＭＦ情報を取得および解析し（ステップＳ３）、ネットワーク情報を含むＴＳパケットの相対ＴＳ番号を識別する（ステップＳ４）。
【００５１】
ネットワーク情報制御部６は、選局復調部２により復調された放送信号からＴＳＭＦ解析部５により識別された相対ＴＳ番号を有するＴＳパケットを抽出する（ステップＳ５）。さらに、ネットワーク情報制御部６は、抽出されたＴＳパケットからネットワーク情報を取得し、そのネットワーク情報をネットワーク情報保存部７に保存する（ステップＳ６）。
【００５２】
次いで、信号制御部４は、次の周波数帯域を設定する（ステップＳ７）。それにより、選局復調部２は、信号入力部１により受信された放送信号のうち次の周波数帯域の放送信号を選択することにより次の物理チャンネルを選局し、その物理チャンネルの放送信号を復調する。
【００５３】
その後、ステップＳ２に戻り、ステップＳ２〜Ｓ８の処理を繰り返す。ステップＳ２においてＴＳＭＦ情報が存在する場合にはステップＳ７に進む。
【００５４】
ステップＳ８において、設定された周波数帯域が全周波数帯域（本実施の形態では、９０〜７７０ＭＨｚ）の範囲外となった場合には、ネットワーク情報の取得動作を終了する。
【００５５】
図５に示すように、従来のデジタルＣＡＴＶ受信装置では、複数の周波数帯域において全てのＴＳパケットを順次サーチおよび解析することによりネットワーク情報を取得する。例えば、全周波数帯域における周波数帯域の数が約１００個の場合には、全周波数帯域のネットワーク情報を取得するために約１５００個のＴＳパケットをサーチする必要がある。そのため、全周波数帯域においてネットワーク情報を取得するために時間を要する。
【００５６】
これに対して、本実施の形態のデジタルＣＡＴＶ受信装置１０では、複数の周波数帯域においてＴＳＭＦ情報を順次取得するとともに、各周波数帯域においてネットワーク情報を含むＴＳパケットを抽出する。このとき、ネットワーク情報を含むＴＳパケットが存在しない周波数帯域ではＴＳパケットを抽出する必要がない。例えば、全周波数帯域における周波数帯域の数が約１００個の場合には、約１００個のＴＳＭＦ情報の取得および最大約１００個のＴＳパケットの抽出により全周波数帯域のネットワーク情報を取得することができる。したがって、ネットワーク情報を短時間で取得することができる。
【００５７】
（４）他の実施の形態
上記実施の形態におけるネットワーク情報の取得動作を実現するプログラムは、半導体メモリ、ＤＶＤ（デジタルバーサタイルディスク）、ハードディスク等の記録媒体に記録することにより、独立した他のコンピュータシステムで容易に実行することができる。
【００５８】
上記実施の形態では、信号制御部４、ＴＳＭＦ解析部５およびネットワーク情報制御部６の機能がＣＰＵおよびプログラムにより実現されているが、信号制御部４、ＴＳＭＦ解析部５およびネットワーク情報制御部６が電子回路等のハードウエアにより実現されてもよい。
【００５９】
上記実施の形態では、ネットワーク情報の有無を示す伝送フレームとして複数ＴＳ多重化方式における多重フレームを用いているが、これに限定されず、ネットワーク情報の有無を示す他の伝送フレームを用いてもよい。
【００６０】
上記実施の形態では、ネットワーク情報を有するＴＳパケットの相対ＴＳ番号を識別するために多重フレームヘッダのｔｓ＿ｉｄ／ｏｒｉｇｉｎａｌ＿ｎｅｔｗｏｒｋ＿ｉｄ表を用いているが、これに限定されず、ネットワーク情報を有するＴＳパケットを識別するために他の識別情報を用いてもよい。
【００６１】
上記実施の形態では、ネットワーク情報がＮＩＴにより提供されるが、ネットワーク情報が他の情報により提供されてもよい。
【００６２】
本発明は、デジタルＣＡＴＶ受信装置に限らず、ネットワーク情報を取得するとともにネットワーク情報に基づいて選局動作を行う他のデジタル放送受信装置にも適用可能である。
【００６３】
（５）請求項の各構成要素と実施の形態の各部との対応
以下、請求項の各構成要素と実施の形態の各部との対応の例について説明するが、本発明は下記の例に限定されない。
【００６４】
上記実施の形態では、デジタルＣＡＴＶ受信装置１０がデジタル放送受信装置に相当し、選局復調部２が選局復調手段に相当し、ＴＳＭＦ解析部５が取得手段および抽出手段に相当する。
【００６５】
また、ＴＳＭＦ情報または多重フレームが伝送フレームまたはトランスポートストリーム多重伝送フレームに相当し、多重フレームヘッダのｔｓ＿ｉｄ／ｏｒｉｇｉｎａｌ＿ｎｅｔｗｏｒｋ＿ｉｄ表が識別子に相当する。
【産業上の利用可能性】
【００６６】
本発明は、ネットワーク情報を取得するとともにネットワーク情報に基づいて選局動作を行う種々のデジタル放送受信装置に利用可能である。
【図面の簡単な説明】
【００６７】
【図１】本発明の一実施の形態に係るデジタルＣＡＴＶ受信装置の構成を示すブロック図
【図２】多重フレームの構造を示す図
【図３】多重フレームヘッダのシンタックスの概要を示す図
【図４】本実施の形態のデジタルＣＡＴＶ受信装置におけるネットワーク情報の取得動作を示すフローチャート
【図５】本実施の形態および従来のデジタルＣＡＴＶ受信装置おけるネットワーク情報の取得動作の例を示す図
【符号の説明】
【００６８】
１  信号入力部
２  選局復調部
３  復号部
４  信号制御部
５  ＴＳＭＦ解析部
６  ネットワーク情報制御部
７  ネットワーク情報保存部
８  モニタ
９  スピーカ
１０  デジタルＣＡＴＶ受信装置
【図１】
2007329543.tif 000003
【図２】
2007329543.tif 000004
【図３】
2007329543.tif 000005
【図４】
2007329543.tif 000006
【図５】
2007329543.tif 000007